(57)【要約】【課題】  排尿したときに色が見えることで確実に知ることができ、かつ柔らかさを維持することができる排尿が分かる吸収性物品を提供する。【解決手段】  液透過性のトップシート２と防水シート３との間に吸収体４を介在させて成るおむつ１などの吸収性物品において、乾燥した色粉を含ませたシート１４を吸収体４に接して防水シート３との間に配設し、色粉を含ませたシート１４と防水シート３の間に親水性シート１５を配設した。【選択図】        図１
2005304826.tif 000002
【特許請求の範囲】
【請求項１】
液透過性のトップシートと防水シートとの間に吸収体を介在させて成る吸収性物品において、乾燥した色粉を含ませたシートを吸収体に接して防水シートとの間に配設し、色粉を含ませたシートと防水シートの間に親水性シートを配設したことを特徴とする排尿が分かる吸収性物品。
【請求項２】
防水シートと吸収体との間に、色粉を含ませたシートと親水性シートを内部に収容し、一面が開口若しくは親水性シートが配設された撥水性シートから成る包装体を配設したことを特徴とする請求項１記載の排尿が分かる吸収性物品。
【請求項３】
包装体が箱状であることを特徴とする請求項２記載の排尿が分かる吸収性物品。
【請求項４】
包装体は、一面が親水性シート、他面が撥水性シートからなり、その周縁部が接着されていることを特徴とする請求項２記載の排尿が分かる吸収性物品。
【請求項５】
色粉を含ませたシートは、並列配置した複数の短冊状シートにて構成されていることを特徴とする請求項１〜４の何れかに記載の排尿が分かる吸収性物品。
【請求項６】
複数の短冊状シートは、互いに色違いの色粉を含ませていることを特徴とする請求項５記載の排尿が分かる吸収性物品。
【請求項７】
色粉を含ませたシートは、色粉を含む部分がデザイン化されていることを特徴とする請求項１〜４の何れかに記載の排尿が分かる吸収性物品。
【請求項８】
防水シート自体若しくは防水シートと親水性シートとの間に介装されるシートを不透明でかつ部分的に透明化させたシートにて構成したことを特徴とする請求項１〜７の何れかに記載の排尿が分かる吸収性物品。
【請求項９】
色粉を含ませたシートは、吸収体とは反対側にのみ色粉を含ませたことを特徴とする請求項１〜８の何れかに記載の排尿が分かる吸収性物品。
【請求項１０】
色粉を含ませたシートは、液不透過性フィルムと親水性シート材がラミネートされかつその親水性シート材に色粉を含ませて構成され、液不透過性フィルムを吸収体側にして配置したことを特徴とする請求項９記載の排尿が分かる吸収性物品。
【発明の詳細な説明】
【技術分野】
【０００１】
本発明は、幼児、失禁者等を対象とする使い捨ておむつなどの吸収性物品に関し、特に排尿したことを知らせることができる排尿が分かる吸収性物品に関するものである。
【背景技術】
【０００２】
フラット型やパンツ型の使い捨ておむつなどにおいて、着用した状態で排尿したことを知らせる手段として、使い捨ておむつの外面シートの内面に、一連のアルファベットのブロックが散在した模様を印刷するとともに、各ブロックの外枠線は、濡れても溶けないインキを使って印刷し、ブロック上のアルファベットの文字は水溶性又は水分散性のインキで印刷し、排尿によって濡れたときにその濡れた部分のアルファベットの文字が消えることで、排尿を知らせるようにしたものが知られている（例えば、特許文献１参照。）。
【０００３】
この種の使い捨ておむつの構成を、図１０（ａ）を参照して説明すると、乳白色の防水シート３１とその外側に貼り合わされた不織布等のバックシート３２とから成る液不透過性の外面シート３３と、不織布等からなる液透過性の内面シート３４との間に吸収体３５が配設されており、その防水シート３１の吸収体３５に接触する内側面に、非水溶性インクにて印刷形成された不変模様３６と、水溶性インクにて印刷形成された可変模様３７とが形成されている。そして、排尿によって水溶性インクが拡散することで、水溶性インクにて印刷形成さたれ可変模様３７が消える。
【０００４】
また、色の異なる染料と顔料を混合したインキを印刷し、排尿すると染料のインキが拡散し、残った顔料インクの色だけが見えて変色したように見せて知らせるようにしたものも知られている。
【０００５】
また、排尿によるインキの拡散に代えて、尿のＰＨにより変色するホットメルトを用いたものも知られている。
【０００６】
また、インキが裏移りする紙にインキで印刷し、排尿によりインキが裏移りして外面シートからインキが見えるようにしたものも知られている。
【特許文献１】米国特許第４０２２２１１号明細書
【発明の開示】
【発明が解決しようとする課題】
【０００７】
ところが、上記特許文献１に開示された、図１０（ａ）に示した構成では、排尿によって濡れた部分のアルファベットの文字などの可変模様３７が、水溶性インクの拡散によって図１０（ｂ）に示すように消えるが、消えるといっても実際には水溶性インキで印刷したものが濡れることで滲みながら薄くなって拡散するものであるため見栄えが悪いという問題があり、またインキを用いているので紫外線で退色してしまうという問題がある。
【０００８】
また、染料と顔料を混合したインキを用いて変色するようにしたものも、紫外線や湿気により使用前に変色、退色することがあり、また排尿によって変色しても変色前の色を忘れた場合には排尿の有無の判断にまよってしまうという問題がある。
【０００９】
また、ＰＨにより変色するホットメルトを用いたものも、紫外線などにより変色しなくなる恐れがあり、また排尿によって変色しても変色前の色を忘れた場合には排尿の有無の判断にまよってしまうという問題がある。
【００１０】
また、裏移りする紙を用いたものは、その紙が硬く、おむつ全体の柔らかさに支障を与えるという問題があり、また使用前でも紙を通してうっすらと見えてしまうという問題もある。
【００１１】
本発明は、上記従来の問題点に鑑み、排尿したときに色が見えることで確実に知ることができ、かつ柔らかさを維持することができる排尿が分かる吸収性物品を提供することを目的とする。
【課題を解決するための手段】
【００１２】
本発明の排尿が分かる吸収性物品は、液透過性のトップシートと防水シートとの間に吸収体を介在させて成る吸収性物品において、乾燥した色粉を含ませたシートを吸収体に接して防水シートとの間に配設し、色粉を含ませたシートと防水シートの間に親水性シートを配設したものである。
【００１３】
この構成によれば、排尿されて吸収体が尿で濡れると、その水分と一緒に色粉が親水性シートに拡散し、親水性シートに拡散した色粉の色を防水シートの外側から見えるため、防水シートが無色から有色に変化することで排尿を確実に知ることができ、また色粉は紫外線や湿気などで劣化することがないため排尿を確実に知ることができ、また色粉を含ませたシートと親水性シートの２枚の不織布などから成るシートを追加して介装するだけであるので吸収物品としての柔らかさも維持することができ、さらに複数工程から成る印刷を行う必要がないので、製造工程も簡略化することができる。
【００１４】
また、防水シートと吸収体との間に、色粉を含ませたシートと親水性シートを内部に収容し、一面が開口若しくは親水性シートが配設された撥水性シートから成る包装体を配設すると、この包装体を排尿口などの所要箇所に配置することで、所要箇所に色がついて排尿を確実に知らせることができるとともに、材料を節約することができる。
【００１５】
また、上記包装体は箱状に形成しても良いし、一面を親水性シート、他面を撥水性シートにて構成しその周縁部をヒートシールなどで接着した構成としても良い。
【００１６】
また、色粉を含ませたシートを、並列配置した複数の短冊状シートにて構成すると、排尿時に防水シートの外からストライプ状の模様が見えるので注意を引きやすく、排尿をより強い印象で知らせることができる。
【００１７】
さらに、複数の短冊状シートに、互いに色違いの色粉を含ませていると、排尿を一層より強い印象で知らせることができる。
【００１８】
また、色粉を含ませたシートは、色粉を含む部分がデザイン化されていても、排尿を一層より強い印象で知らせることができる。
【００１９】
また、防水シート自体若しくは防水シートと親水性シートとの間に介装されるシートを不透明でかつ部分的に透明化させたシートにて構成すると、色粉を含ませたシートの色粉を含む部分をわざわざデザイン化しなくても、排尿時に防水シートの外からデザイン模様が見えるので排尿を一層より強い印象で知らせることができる。
【００２０】
また、色粉を含ませたシートは、吸収体とは反対側にのみ色粉を含ませると、排尿時に吸収体側に色粉が拡散して内面シート側に色がでるのを防止することができる。
【００２１】
さらに、色粉を含ませたシートは、液不透過性フィルムと親水性シート材がラミネートされかつその親水性シート材に色粉を含ませて構成され、液不透過性フィルムを吸収体側にして配置されると、排尿後は尿が液不透過性フィルムの周囲から親水性シート材に拡散し、その色粉が水分と一緒に親水性シートに拡散して防水シートの外側から見ることができ、かつ色粉が吸収体側に拡散して内面シート側に色が出るのをより確実に防止することができる。
【発明の効果】
【００２２】
本発明の排尿が分かる吸収性物品によれば、排尿されるとその水分と一緒に色粉が親水性シートに拡散して防水シートの外側から見えて防水シートが無色から有色に変化しかつ色粉は紫外線や湿気などで劣化することがないため排尿を確実に知ることができ、また色粉を含ませたシートと親水性シートの２枚の不織布などから成るシートを追加して介装するだけであるので吸収物品としての柔らかさも維持することができ、さらに印刷を行う必要がないので、製造工程も簡略化することができるなどの効果が発揮される。
【発明を実施するための最良の形態】
【００２３】
以下、添付図面を参照して本発明の排尿が分かる吸収性物品を適用した使い捨ておむつの実施形態について説明し、本発明の理解に供する。なお、以下に示す実施形態は本発明を具体化した一例であって、本発明の技術的範囲を限定するものではない。
【００２４】
（第１の実施形態）
まず、本発明の第１の実施形態のパンツ型使い捨ておむつについて、図１、図２を参照して説明する。図１はパンツ型使い捨ておむつ１の全体構成を示すもので、図１（ａ）はおむつ１の展開状態の平面図、図１（ｂ）はその部分拡大断面図、図２は作用説明図である。
【００２５】
図１において、おむつ１は、主として液透過性のトップシート２と、防水シート３と、これらトップシート２と防水シート３との間に介在された吸収体４にて構成された吸収性本体５を有し、この吸収性本体５の防水シート３側の外面に、２枚重ねの不織布等から成るバックシート６が一体的に接着されて構成されている。吸収体４は、フラップ状木材パルプや綿状パルプ等のパルプ材と高分子吸収剤（ＳＡＰ）を組み合わせて構成され、その外面を上部と下部のクレープ紙により被覆して構成されている。また、本実施形態の吸収性本体５においては、トップシート２と吸収体４との間に排尿された尿を吸収体４の全体に拡散させかつ逆戻りを防止するセカンドシート７が介在されている。
【００２６】
吸収性本体５は内部の吸収体４とともに平面形状が砂時計状に形成され、バックシート６はそれより一回り大きい形状に形成されており、これら吸収性本体５及びバックシート６の前後方向（長手方向）の中央部両側の抉り部にて脚回り部８が構成されている。また、バックシート６の前後方向の両端部が内側に折り返されて腹部側の胴回り部９ａと背部側の胴回り部９ｂが形成され、かつこれら胴回り部９ａ、９ｂと脚回り部８との間の吸収性本体５の両側部に腹部側の脇部１０ａと背部側の脇部１０ｂが形成されている。
【００２７】
吸収性本体５のトップシート２の両側部には、長手方向に沿って両胴回り部９ａ、９ｂ間にわたって尿や便等の排泄物の漏れ出しを防止する立体ギャザー１１が設けられている。この立体ギャザー１１は、着用状態でおむつ１のずれに追従して円滑に立ち上がるように、断面くの字状に折り返した状態でその一側部がトップシート２に溶着されるとともに、その幅方向に適当間隔おきに複数の弾性伸縮部材１２が配設されている。
【００２８】
そして、腹部側の胴回り部９ａ及び脇部１０ａの側縁部と背部側の胴回り部９ｂ及び脇部１０ｂの側縁部にそれぞれ溶着縁部１３ａ、１３ｂが形成されており、これら溶着縁部１３ａ、１３ｂ同士を重ね合わせて互いに溶着することでパンツ型に構成される。また、腹部側及び背部側の胴回り部９ａ、９ｂにはそれぞれ複数本の糸ゴムや弾性フィルムなどの弾性伸縮部材（図示せず）が配設されており、このパンツ型のおむつ１を装着したときに胴を締め付けるように構成されている。なお、必要に応じて脇部１０ａ、１０ｂにも弾性伸縮部材（図示せず）が配設される。
【００２９】
このような全体構成のおむつ１において、図１（ｂ）に示すように、吸収性本体５の吸収体４と防水シート３との間に、乾燥した色粉を含ませたシート１４が吸収体４に接して配設され、この色粉を含ませたシート１４と防水シート３の間に親水性シート１５が配設されている。
【００３０】
色粉を含ませたシート１４は、水解性又は非水解性の紙や、スパンボンド、エアスルー、ポイントボンド、スパンレース等の不織布などを用いた吸収性を有するシートに色粉を担持させることによって作成できる。色粉としては、波長が３８０〜７７０ｎｍ、振動数が７．０×１０14〜３．９×１０14Ｈｚの可視光線を反射し、好ましくは着用者に清潔感を与える青、水色、緑、黄緑などの色を呈するものが望ましい。また、色粉の中に香りを含ませたマイクロカプセルを混合しても良い。また、色粉をシートに担持させる方法としては、グラビア印刷や、色粉を溶かした液体にシートをどぶ漬けし、シートに色が染み込んだ後乾燥させる方法などが好適である。
【００３１】
以上の構成のおむつ１によれば、排尿前は、図２（ａ）に示すように、吸収体４が濡れていず、色粉を含ませたシート１４から色粉が拡散しないため、防水シート３の外側からは、防水シート３と親水性シート１５が介在しているため色粉を含ませたシート１４の色はほぼ見えない状態となっている。排尿後は、図２（ｂ）に示すように、吸収体４が尿で濡れ、その水分が色粉を含ませたシート１４に浸入し、さらに親水性シート１５に浸出することで、その水分と一緒に色粉が親水性シート１５に拡散し、親水性シート１５に拡散した色粉の色が防水シート３を通して外側から見えるようになる。かくして、防水シート３が無色から有色に変化することで排尿を確実に知ることができる。
【００３２】
また、色粉は紫外線や湿気などで劣化することがないため排尿を確実に知ることができる。また、色粉を含ませたシート１４と親水性シート１５の２枚の不織布などから成るシートを追加して介装するだけであるのでおむつ１に要求される軟らかさも維持することができる。さらに、色粉を含ませたシート１４は、多数の印刷工程を経るような印刷を行う必要がないので、製造工程も簡略化することができる。
【００３３】
（第２の実施形態）
次に、本発明の第２の実施形態について、図３を参照して説明する。なお、以下の実施形態の説明では、先行する実施形態と同じ構成要素については説明を省略し、本実施形態の特徴である相違点についてのみ説明する。
【００３４】
本実施形態では、図３に示すように、一面に開口１８を形成し、その開口１８に必要に応じて親水性不織布などの親水性シートを配設した撥水性不織布などの撥水性シート１７から成る箱状の包装体１６を構成し、その内部に色粉を含ませたシート１４と親水性シート１５を収容し、この包装体１６を吸収性本体５の防水シート３と吸収体４の間の適所に配設している。
【００３５】
このような構成によれば、この包装体１６をおむつ１の吸収性本体５における排尿口に対向する部位などの所要箇所に配置することで、所要箇所に色がついて排尿を確実に知らせることができ、かつ材料を節約することができる。
【００３６】
（第３の実施形態）
次に、本発明の第３の実施形態について、図４を参照して説明する。本実施形態では、一面を親水性不織布などの親水性シート２０、他面を撥水性不織布などの撥水性シート２１にて構成し、その周縁部２２をヒートシール等によって接着した包装体１９を用いている。
【００３７】
このような構成によれば、上記実施形態と同様に包装体１９を排尿口などの所要箇所に配置することで、所要箇所に色がついて排尿を確実に知らせることができるとともに、材料を節約することができ、かつ包装体１９は、上記実施形態のように箱状の包装体１６を形成する場合に比して構造が簡単で安価に製造することができる。ただ、周縁部２２の接着をヒートシール等で行うと風合いの低下を来す場合がある。
【００３８】
（第４の実施形態）
次に、本発明の第４の実施形態について、図５を参照して説明する。本実施形態の色粉を含ませたシート１４は、並列配置した複数の短冊状シート２３にて構成している。この構成によると、排尿時に防水シートの外からストライプ状の模様が見えるので注意を引きやすく、排尿をより強い印象で知らせることができる。
【００３９】
（第５の実施形態）
次に、本発明の第５の実施形態について、図６を参照して説明する。本実施形態の色粉を含ませたシート１４は、互いに色違いの色粉を含ませた複数の色違い短冊状シート２４ａ〜２４ｄにて構成している。この構成によると、排尿時に防水シートの外から色違いのストライプ状の模様が見えるので、排尿を一層より強い印象で知らせることができる。
【００４０】
（第６の実施形態）
次に、本発明の第６の実施形態について、図７を参照して説明する。本実施形態の色粉を含ませたシート１４には、その色粉を含む部分がデザイン化され、色粉によるデザイン模様２５が設けられている。このデザイン模様２５は、シートに部分的に撥水加工を施したり、シートにエンボスを施して色粉を担持する凹部を形成したりすることで構成することができる。この構成によっても、排尿を一層より強い印象で知らせることができる。
【００４１】
（第７の実施形態）
次に、本発明の第７の実施形態について、図８を参照して説明する。本実施形態では、防水シート３自体若しくは防水シート３と親水性シート１５との間に介装されるシート２６を白色などの不透明のシートにて構成するとともに、このシート３又は２６の親水性シート１５に対向する部分の一部にデザイン模様の透明部２７を形成している。この透明部２７は、シート３又は２６に対して熱を付与する等の手段によって簡単に形成することができる。この構成によれば、色粉を含ませたシート１４の色粉を含む部分をわざわざデザイン化しなくても、排尿時に防水シート３の外からデザイン模様の透明部２７を通して着色されたデザイン模様が見えるので排尿を一層より強い印象で知らせることができる。
【００４２】
（第８の実施形態）
次に、本発明の第８の実施形態について、図９を参照して説明する。本実施形態では、色粉を含ませたシート１４を、吸収体４とは反対側にのみ色粉を含ませた構成としている。具体的には、図９（ａ）に示すように、親水性シート材２８の片面にのみ色粉３０をグラビア印刷したり、図９（ｂ）に示すように、液不透過性フィルム２９と親水性シート材２８をラミネートしたシートを用い、その親水性シート材２８に色粉３０を含ませた構成としている。
【００４３】
この構成によれば、排尿時に吸収体４側に色粉３０が拡散してトップシート２側に色がでるのを抑制することができ、特に図９（ｂ）のような構成の色粉を含ませたシート１４を用いると、排尿後は尿が液不透過性フィルム２９の周囲から親水性シート材２８に拡散し、その色粉３０が水分と一緒に親水性シート１５に拡散して防水シート３の外側から見え、かつ色粉が吸収体４側に拡散してトップシート２側に色が出るのを液不透過性フィルム２９によって確実に防止することができる。
【００４４】
本発明の排尿が分かる吸収性物品は、排尿されるとその水分と一緒に色粉が親水性シートに拡散して防水シートの外側から見え、防水シートが無色から有色に変化しかつ色粉は紫外線や湿気などで劣化することがないので排尿を確実に知ることができ、また色粉を含ませたシートと親水性シートの２枚の不織布などから成るシートを追加して介装するだけであるので吸収物品としての柔らかさも維持することができ、さらに印刷を行う必要がないので、製造工程も簡略化することができるため、排尿を知らせる使い捨ておむつなどに利用できる。
【図面の簡単な説明】
【００４５】
【図１】本発明の排尿が分かる吸収性物品の第１の実施形態のおむつを示し、（ａ）は展開状態の平面図、（ｂ）は（ａ）のＡ−Ａ矢視拡大断面図である。
【図２】同実施形態の作用を説明図で、（ａ）は排尿前の状態説明図、（ｂ）は排尿後の状態説明図である。
【図３】本発明の第２の実施形態において配置される包装体の斜視図である。
【図４】本発明の第３の実施形態において配置される包装体の断面図である。
【図５】本発明の第４の実施形態における色粉を含ませたシートと親水性シートの斜視図である。
【図６】本発明の第５の実施形態における色粉を含ませたシートと親水性シートの斜視図である。
【図７】本発明の第６の実施形態における色粉を含ませたシートの斜視図である。
【図８】本発明の第７の実施形態における色粉を含ませたシートと親水性シートの外側に配置されるシートの斜視図である。
【図９】本発明の第８の実施形態における色粉を含ませたシートの構成例を示す断面図である。
【図１０】従来例の使い捨ておむつを示し、（ａ）は排尿前の状態の要部の断面図、（ｂ）は排尿後の状態の要部の断面図である。
【符号の説明】
【００４６】
１  おむつ
２  トップシート
３  防水シート
４  吸収体
１４  色粉を含ませたシート
１５  親水性シート
１６  包装体
１７  撥水性シート
１８  開口
１９  包装体
２０  親水性シート
２１  撥水性シート
２２  周縁部
２３  短冊状シート
２４ａ〜２４ｄ  色違い短冊状シート
２５  デザイン模様
２７  デザイン模様の透明部
２８  親水性シート材
２９  液不透過性フィルム
３０  色粉
【図１】
2005304826.tif 000003
【図２】
2005304826.tif 000004
【図３】
2005304826.tif 000005
【図４】
2005304826.tif 000006
【図５】
2005304826.tif 000007
【図６】
2005304826.tif 000008
【図７】
2005304826.tif 000009
【図８】
2005304826.tif 000010
【図９】
2005304826.tif 000011
【図１０】
2005304826.tif 000012